(57)【要約】  方法及び装置は、種々の環境光の状態において、携帯電子装置のディスプレイ（１４２）上に表示される情報の可視性を向上する。携帯電子装置（１００）は、表示情報の可視性を向上するために、ディスプレイ（１４２）に関連する環境光を測定し、測定した環境光に基づいてディスプレイ（１４２）を調整する。一実施形態において、光検出電子回路（１１０）は、ディスプレイ（１４２）に関連する環境光を検出する。光プロセッサ（１１４）は、生データを処理し、測定した環境光を検出された環境光に基づいて判定する。携帯電子装置（１００）のディスプレイコントローラ（１５０）は、測定した環境光に基づいてディスプレイ（１４２）を調整する。一例であるディスプレイコントローラ（１５０）は、表示情報のサイズ、ディスプレイ（１４２）のバックライトの輝度又は表示コントラストを測定した環境光に基づいて調整してもよい。
2007535695.tif 000002
【特許請求の範囲】
【請求項１】
携帯電子装置（１００）のディスプレイ（１４２）上の情報の可視性を向上する方法であって、
前記携帯電子装置（１００）に配置されている光検出電子回路（１１０）を使用して環境光を測定し、
前記測定した環境光に基づいて、前記携帯電子装置（１００）の前記ディスプレイ（１４２）を調整する
ことを特徴とする方法。
【請求項２】
光検出電子回路（１１０）を使用して前記環境光を測定することは、
光センサ（１１２）を使用して環境光を検出することと、
前記検出した環境光を前記測定した環境光として規定することとを含む
ことを特徴とする請求項１に記載の方法。
【請求項３】
所定の期間にわたり前記検出した環境光を平均することを更に含み、
前記検出した環境光を前記測定した環境光として規定することは、前記検出した環境光の前記平均を前記測定した環境光として規定することを含む
ことを特徴とする請求項２に記載の方法。
【請求項４】
前記光センサ（１１２）はカメラの一部であることを特徴とする請求項２に記載の方法。
【請求項５】
前記携帯電子装置（１００）の前記ディスプレイ（１４２）を調整することは、前記測定した環境光に基づいて、表示情報のサイズ、前記ディスプレイ（１４２）のバックライトの輝度、及び表示コントラストのうち少なくとも１つを調整することを含むことを特徴とする請求項１に記載の方法。
【請求項６】
前記測定した環境光に基づいて前記表示情報の前記サイズを調整することは、前記測定した環境光の増減に伴い前記表示情報の前記サイズを増減することを含むことを特徴とする請求項５に記載の方法。
【請求項７】
前記測定した環境光に基づいて前記ディスプレイ（１４２）の前記バックライトの輝度を調整することは、前記測定した環境光に基づいて前記ディスプレイ（１４２）のパルス幅変調デューティサイクルを調整することを含むことを特徴とする請求項５に記載の方法。
【請求項８】
前記測定した環境光に基づいて前記ディスプレイ（１４２）の前記バックライトの輝度を調整することは、前記測定した環境光の増減に伴い前記バックライトの輝度を増減することを含むことを特徴とする請求項５に記載の方法。
【請求項９】
前記測定した環境光に基づいて前記表示コントラストを調整することは、フォントの種類、フォントの色、及び背景色のうち少なくとも１つを調整することを含むことを特徴とする請求項５に記載の方法。
【請求項１０】
前記測定した環境光に基づいて前記表示コントラストを調整することは、前記測定した環境光に基づいて前記ディスプレイ（１４２）のバイアス電圧を調整することを含むことを特徴とする請求項５に記載の方法。
【請求項１１】
ディスプレイ温度を判定することと、前記測定した環境光及び前記ディスプレイ温度に基づいて前記携帯電子装置（１００）の前記ディスプレイ（１４２）の前記バイアス電圧を調整することとを更に含むことを特徴とする請求項１０に記載の方法。
【請求項１２】
前記ディスプレイ温度を判定することは、前記ディスプレイ（１４２）の温度を測定することを含むことを特徴とする請求項１１に記載の方法。
【請求項１３】
前記ディスプレイ温度を判定することは、周囲温度を測定することと、前記測定した周囲温度に基づいて前記ディスプレイ温度を判定することとを含むことを特徴とする請求項１１に記載の方法。
【請求項１４】
前記携帯電子装置（１００）の前記ディスプレイ（１４２）を調整することは、前記測定した環境光に基づいて、表示情報のサイズ、前記ディスプレイ（１４２）のバックライトの輝度、及び表示コントラストのうち少なくとも２つを調整することを含むことを特徴とする請求項１に記載の方法。
【請求項１５】
ディスプレイ調整値のテーブルを生成することを更に含み、各ディスプレイ調整値は異なる環境光の値に対応することを特徴とする請求項１に記載の方法。
【請求項１６】
前記測定した環境光に基づいて前記携帯電子装置（１００）の前記ディスプレイ（１４２）を調整することは、
前記測定した環境光に対応するディスプレイ調整値の前記テーブルから前記ディスプレイ調整値を選択することと、
前記選択したディスプレイ調整値に基づいて前記携帯電子装置（１００）の前記ディスプレイ（１４２）を調整することとを含む
ことを特徴とする請求項１５に記載の方法。
【請求項１７】
各ディスプレイ調整値は、異なる環境光の値に対する表示情報のサイズ、表示コントラスト、又は前記携帯電子装置（１００）の前記ディスプレイ（１４２）のバックライトの輝度に対応することを特徴とする請求項１５に記載の方法。
【請求項１８】
前記測定した環境光に基づいて前記携帯電子装置（１００）の前記ディスプレイ（１４２）を調整することは、前記測定した環境光に基づいて前記表示情報の前記サイズ、前記表示コントラスト、及び前記ディスプレイ（１４２）の前記バックライトの輝度のうち少なくとも１つに対するディスプレイ調整値をディスプレイ調整値の前記テーブルから選択することと、前記選択したディスプレイ調整値に基づいて前記表示情報の前記サイズ、前記表示コントラスト、及び前記バックライトの輝度のうち少なくとも１つを調整することとを含むことを特徴とする請求項１７に記載の方法。
【請求項１９】
前記測定した環境光に基づいて前記携帯電子装置（１００）の前記ディスプレイ（１４２）を調整することは、前記測定した環境光に基づいて前記携帯電子装置（１００）の前記ディスプレイ（１４２）を自動的に調整することを含むことを特徴とする請求項１に記載の方法。
【請求項２０】
前記測定した環境光に基づいて前記携帯電子装置（１００）の前記ディスプレイ（１４２）を調整することは、ユーザ入力を受信することと、前記ユーザ入力に応答して、前記測定した環境光に基づいて前記携帯電子装置（１００）の前記ディスプレイ（１４２）を調整することとを含むことを特徴とする請求項１に記載の方法。
【請求項２１】
前記測定した環境光に基づいて前記携帯電子装置（１００）の前記ディスプレイ（１４２）のガンマ設定値、白色点の設定値、及び黒色点の設定値のうち少なくとも１つを調整することを更に含むことを特徴とする請求項１に記載の方法。
【請求項２２】
前記携帯電子装置（１００）の第１のディスプレイ（１４２）に対する前記測定した環境光に基づいて生成されたディスプレイ調整パラメータを、前記携帯電子装置（１００）の第２のディスプレイ（１４２）に対するディスプレイ調整パラメータに変換するために変換規格を使用することにより、前記携帯電子装置（１００）の前記第２のディスプレイ（１４２）を調整することを更に含むことを特徴とする請求項１に記載の方法。
【請求項２３】
前記携帯電子装置（１００）の前記ディスプレイ（１４２）は、液晶ディスプレイ、薄膜トランジスタディスプレイ、薄膜ダイオードディスプレイ、有機発光ダイオードディスプレイ、及びＳＴＮ液晶ディスプレイのうち１つを含むことを特徴とする請求項１に記載の方法。
【請求項２４】
携帯電子装置（１００）であって、
前記携帯電子装置（１００）に配置され、測定した環境光を判定する光検出電子回路（１１０）と、
前記測定した環境光に基づいて前記携帯電子装置（１００）のディスプレイ（１４２）を調整するディスプレイコントローラ（１５０）と
を備えることを特徴とする携帯電子装置（１００）。
【請求項２５】
前記ディスプレイコントローラ（１５０）は、前記測定した環境光に基づいて表示情報のサイズを調整するサイズコントローラ（１５２）を有することを特徴とする請求項２４に記載の携帯電子装置（１００）。
【請求項２６】
前記ディスプレイコントローラ（１５０）は、前記測定した環境光に基づいて前記ディスプレイ（１４２）のバックライトの輝度を調整するバックライトコントローラ（１５４）を有することを特徴とする請求項２４に記載の携帯電子装置（１００）。
【請求項２７】
前記バックライトコントローラ（１５４）は、前記測定した環境光に基づいて前記ディスプレイ（１４２）の前記バックライトの輝度を制御するために、前記ディスプレイ（１４２）のパルス幅変調デューティサイクルを調整することを特徴とする請求項２６に記載の携帯電子装置（１００）。
【請求項２８】
前記ディスプレイコントローラ（１５０）は、前記測定した環境光に基づいて表示コントラストを調整するコントラストコントローラ（１５６）を有することを特徴とする請求項２４に記載の携帯電子装置（１００）。
【請求項２９】
前記コントラストコントローラ（１５６）は、前記測定した環境光に基づいてフォントの種類、フォントの色、及び背景色のうち少なくとも１つを調整することを特徴とする請求項２８に記載の携帯電子装置（１００）。
【請求項３０】
前記コントラストコントローラ（１５６）は、前記測定した環境光に基づいて前記表示コントラストを制御するために前記ディスプレイ（１４２）のバイアス電圧を調整することを特徴とする請求項２８に記載の携帯電子装置（１００）。
【請求項３１】
ディスプレイ温度を判定する温度センサ（１７２）を更に具備することを特徴とする請求項２８に記載の携帯電子装置（１００）。
【請求項３２】
前記コントラストコントローラ（１５６）は、前記測定した環境光、及び前記ディスプレイ温度に基づいて、前記ディスプレイ（１４２）の前記バイアス電圧を調整することを特徴とする請求項３１に記載の携帯電子装置（１００）。
【請求項３３】
前記温度センサ（１７２）は前記ディスプレイ温度を測定することを特徴とする請求項３１に記載の携帯電子装置（１００）。
【請求項３４】
前記温度センサ（１７２）により測定された周囲温度から前記ディスプレイ温度を判定する温度プロセッサ（１７４）を更に具備することを特徴とする請求項３１に記載の携帯電子装置（１００）。
【請求項３５】
ディスプレイ調整値のテーブルを少なくとも１つ格納するメモリ回路（１３０）を更に具備し、各ディスプレイ調整値は、異なる環境光の値に対応することを特徴とする請求項２４に記載の携帯電子装置（１００）。
【請求項３６】
前記ディスプレイコントローラ（１５０）は、前記測定した環境光に対応する前記ディスプレイ調整値をディスプレイ調整値の前記テーブルから選択し、前記選択したディスプレイ調整値に基づいて前記携帯電子装置（１００）の前記ディスプレイ（１４２）を調整することを特徴とする請求項３５に記載の携帯電子装置（１００）。
【請求項３７】
前記メモリ回路（１３０）は、表示情報のサイズ、表示コントラスト、及び前記ディスプレイ（１４２）のバックライトの輝度のうち少なくとも１つの各々に対するディスプレイ調整値のテーブルを格納することを特徴とする請求項３５に記載の携帯電子装置（１００）。
【請求項３８】
前記測定した環境光に基づいて前記携帯電子装置（１００）の前記ディスプレイ（１４２）を調整するために、前記ディスプレイコントローラ（１５０）に指示を送るユーザ入力装置（１４０）を更に具備することを特徴とする請求項２４に記載の携帯電子装置（１００）。
【請求項３９】
前記ユーザ入力装置（１４０）は、前記携帯電子装置（１００）のハウジングに配置される制御ボタン（１４４）を有することを特徴とする請求項３８に記載の携帯電子装置（１００）。
【請求項４０】
前記ユーザ入力装置（１４０）は、可聴ディスプレイコマンドを前記ユーザから受信するスピーカ（１４８）を有することを特徴とする請求項３８に記載の携帯電子装置（１００）。
【請求項４１】
前記ディスプレイコントローラ（１５０）は、前記測定した環境光に基づいて前記携帯電子装置（１００）の前記ディスプレイ（１４２）を自動的に調整することを特徴とする請求項２４に記載の携帯電子装置（１００）。
【請求項４２】
前記光検出電子回路（１１０）は、環境光を検出する光センサ（１１２）を有することを特徴とする請求項２４に記載の携帯電子装置（１００）。
【請求項４３】
前記光検出電子回路（１１０）は、前記検出した環境光を処理し、且つ前記処理した環境光から前記測定した環境光を判定する光プロセッサ（１１４）を更に有することを特徴とする請求項４２に記載の携帯電子装置（１００）。
【請求項４４】
前記光検出電子回路（１１０）は、カメラアセンブリ（１１０ａ）の一部であることを特徴とする請求項２４に記載の携帯電子装置（１００）。
【請求項４５】
前記携帯電子装置（１００）は、ラップトップコンピュータ、計算機、パーソナルデータアシスタント、ポータブルゲームシステム、及び携帯音楽プレーヤのうち１つを含むことを特徴とする請求項２４に記載の携帯電子装置（１００）。
【請求項４６】
前記携帯電子装置（１００）は、無線通信信号を送受信するトランシーバを有する携帯電話を有することを特徴とする請求項２４に記載の携帯電子装置（１００）。
【請求項４７】
前記光検出電子回路（１１０）は、前記携帯電話内のカメラアセンブリ（１１０ａ）内に配置されることを特徴とする請求項４６に記載の携帯電子装置（１００）。
【請求項４８】
前記ディスプレイ（１４２）は、液晶ディスプレイ、薄膜トランジスタディスプレイ、薄膜ダイオードディスプレイ、有機発光ダイオードディスプレイ、及びＳＴＮ液晶ディスプレイのうち１つを含むことを特徴とする請求項２４に記載の携帯電子装置（１００）。
【請求項４９】
前記携帯電子装置（１００）上に第２のディスプレイ（１４２）を更に具備し、
前記ディスプレイコントローラ（１５０）は、前記携帯電子装置（１００）の第１のディスプレイ（１４２）に対する測定した環境光に基づいて生成されたディスプレイ調整パラメータを、前記携帯電子装置（１００）の前記第２のディスプレイ（１４２）に対するディスプレイ調整パラメータに変換するために変換規格を使用することにより前記第２のディスプレイ（１４２）を調整することを特徴とする請求項２４に記載の携帯電子装置（１００）。
【発明の詳細な説明】
【技術分野】
【０００１】
本発明は、一般に、携帯電子装置のディスプレイに関し、特に、携帯電子装置のディスプレイ上に表示される情報の可視性に関する。
【背景技術】
【０００２】
携帯電話、ラップトップコンピュータ、デジタルカメラ、計算器及びパーソナルデータアシスタント等の携帯電子装置は、ユーザに情報を提供するためのディスプレイを含む。表示情報は、現在の時間のような単純なものでもよく、写真、コンピュータゲーム又は映画に関連する画像のような詳細なものでもよい。
【０００３】
通常、表示情報のサイズ、表示コントラスト、ディスプレイのバックライトの輝度等の種々のディスプレイパラメータ設定値は、表示情報の可視性に影響を与える。しかし、表示情報の可視性は、環境光の状態によっても異なる。例えば、屋外設定等の明るい環境において、環境光による映り込み及び／又はバックライトの明るさが不十分なことによる映り込みにより、表示情報の可視性は損なわれることがある。暗い環境においては、バックライトは表示情報の可視性を高めることがある。
【０００４】
ある装置においては、ユーザは、例えばフォントを所望のサイズに設定したり、あるいはバックライトを常にオン、常にオフ又は自動に設定するなど、特定のディスプレイパラメータ設定を制御できる。通常、ユーザは、一連のメニューを介してナビゲートし、所望の設定値を調整する。しかし、環境光の状態のために表示情報がユーザにとって不可視又はほぼ不可視である場合、そのようなナビゲーションは、可視性の悪い状態では非常に困難となる。更に、ユーザにより１度設定がなされると、それらのパラメータは固定されるため、全ての環境光の状態に対して固定となる。
【発明の開示】
【課題を解決するための手段】
【０００５】
本発明は、種々の環境光の状態において、携帯電子装置のディスプレイ上の情報の可視性を向上する方法及び装置を含む。本発明によると、ディスプレイは測定した環境光に基づいて調整され、表示情報の可視性を向上する。一実施形態において、携帯電子装置における光検出電子回路は測定した環境光を判定し、ディスプレイコントローラは測定した環境光に基づいて携帯電子装置のディスプレイを調整する。
【０００６】
いくつかの実施形態において、ディスプレイコントローラは、表示情報のサイズ、表示コントラスト及び／又はディスプレイのバックライトの輝度等の１つ以上のディスプレイパラメータを調整してもよい。そのような表示制御は、自動的に行なわれてもよく、あるいはユーザ入力に応答して行なわれてもよい。
【発明を実施するための最良の形態】
【０００７】
図１は、携帯電話、ラップトップコンピュータ、ＭＰ３プレーヤ、ＣＤプレーヤ、デジタルカメラ、ポータブルラジオ、計算機、パーソナルデータアシスタント、ポータブルゲームシステム、ＤＶＤプレーヤ等の本発明の携帯電子装置１００の一例を示す。携帯電子装置１００は、光検出電子回路１１０、マイクロプロセッサ１２０、入出力回路１２２、メモリ回路１３０、ユーザインタフェース１４０、及びオプションとして温度検出電子回路１７０を含む。
【０００８】
光検出電子回路１１０は、光センサ１１２及びオプションの光プロセッサ１１４を含み、携帯電子装置１００に関連する測定した環境光を判定する。光センサ１１２は、周囲からの光を捕捉する電荷結合素子（ＣＣＤ）又は相補型金属酸化膜半導体（ＣＭＯＳ）等の任意の従来の光センサデバイスである。光プロセッサ１１４は、光センサ１１２により捕捉された生データを処理するようにプログラムされたデジタル信号プロセッサ等の任意の従来のプロセッサでもよい。いくつかの実施形態において、光プロセッサ１１４は、所定の期間にわたり光センサ１１２により捕捉された光を平均し、その平均光を測定した環境光として規定してもよい。いくつかの実施形態において、光検出電子回路１１０は、携帯電子装置１００内のカメラシステムの一部であってもよい。図１は、光プロセッサ１１４が光検出電子回路１１０の一部であることを示すが、光プロセッサ１１４は本発明にとって必須ではないことが理解されるだろう。例えばいくつかの実施形態において、光センサ１１２により検出される環境光を測定した環境光としてもよい。更に、光センサ１１２及び光プロセッサ１１４は個別の電子装置として示されるが、光センサ１１２及び光プロセッサ１１４は単一の電子装置に組み合わされてもよいことが理解されるだろう。いくつかの実施形態において、光検出電子回路１１０は、携帯電子装置１００内のカメラシステムの一部であってもよい。
【０００９】
検出電子回路１１０は、当該技術において周知の任意の手段に従って、測定した環境光を入出力回路１２２を介してマイクロプロセッサ１２０に提供する。更に入出力回路１２２は、マイクロプロセッサ１２０をユーザインタフェース１４０とインタフェースする。ユーザインタフェース１４０は、１つ以上のディスプレイ１４２及び１つのキーパッド１４４を含む。ディスプレイ１４２により、ユーザは、テキスト、画像、メニューオプション及び他の装置情報を見ることができる。ディスプレイ１４２は、液晶ディスプレイ、薄膜トランジスタディスプレイ、薄膜ダイオードディスプレイ、有機発光ダイオードディスプレイ又はＳＴＮ液晶ディスプレイ等の任意の周知のディスプレイ１４２であってもよい。キーパッド１４４は１つ以上の制御ボタンを含み、また、当該技術において周知であるように、ジョイスティック制御等のナビゲーション制御及び／又は英数字キーパッドを含んでもよい。更に、キーパッド１４４は、ラップトップコンピュータで使用されるようなフルキーボードであってもよい。キーパッド１４４により、オペレータはコマンドを入力でき、また、メモリ１３０に格納されているオプションを選択できる。
【００１０】
メモリ１３０は、携帯電子装置１００のメモリの全体の階層を表しており、ランダムアクセスメモリ（ＲＡＭ）及び読み出し専用メモリ（ＲＯＭ）の双方を含んでもよい。動作に必要とされるコンピュータプログラム命令及びデータは、ＥＰＲＯＭ、ＥＥＰＲＯＭ及び／又はフラッシュメモリ等の不揮発性メモリに格納される。不揮発性メモリは、個別の装置又はスタック装置として実現されてもよく、あるいはマイクロプロセッサ１２０と一体化されて実現されてもよい。マイクロプロセッサ１２０は、メモリ１３０に格納されたプログラムに従って携帯電子装置１００の動作を制御する。制御機能は、単一のマイクロプロセッサ又は複数のマイクロプロセッサにおいて実現されてもよい。適切なマイクロプロセッサは、例えば、汎用マイクロプロセッサ及び専用マイクロプロセッサの双方、並びにデジタル信号プロセッサを含んでもよい。
【００１１】
図１に示すように、マイクロプロセッサ１２０は、本発明に従ってディスプレイ１４２を制御するディスプレイコントローラ１５０を更に含む。図１は、入出力回路１２２を介してディスプレイ１４２とインタフェースするディスプレイコントローラ１５０を示すが、ディスプレイコントローラ１５０は、ディスプレイ１４２と直接インタフェースしてもよいことが当業者には理解されるだろう。いずれの場合も、ディスプレイコントローラ１５０は、図２に示すようなディスプレイ１４２上に表示される情報の可視性を向上する方法２００を実現する。方法の開始後（ブロック２１０）、光検出電子回路１１０は、携帯電子装置１００付近のディスプレイ１４２に関連する環境光（ＬＡ）を測定する（ブロック２１５）。それに応答して、携帯電子装置１００は、測定した環境光に基づいてディスプレイを調整する（ブロック２２０）。これについては、以下に更に説明する。携帯電子装置１００が処理を終了するまで（ブロック２４５）、携帯電子装置１００は、環境光を測定するステップ（ブロック２１５）及び測定した環境光に基づいてディスプレイを調整するステップ（ブロック２２０）を繰り返す（ブロック２４０）。
【００１２】
携帯電子装置１００は、任意の数のユーザ入力及び／又はユーザ設定に基づいて表示制御処理２００を開始及び終了する。例えば、ユーザが表示制御設定を自動に設定すると、携帯電子装置１００が動作状態を入力した時、すなわちユーザが携帯電子装置１００の電源を投入した時、ディスプレイコントローラ１５０は表示制御処理２００を開始してもよい。携帯電子装置１００がスタンバイ状態を入力した時、あるいは所定の期間が経過した後、携帯電子装置１００は表示制御処理２００を終了してもよい。更に、ユーザは、キーパッド１４４上の任意の制御ボタンに触れることにより、表示制御処理２００を手動で起動／停止してもよい。同様に、マイクロフォン１４６、スピーカ１４８及びオーディオプロセッサ１２４（図８を参照）等のオーディオ機器を有する携帯電子装置１００の場合、ユーザは、音声コマンドを使用して表示制御処理２００を起動してもよい。いずれの場合も、ディスプレイコントローラ１５０は、自動で及び／又はユーザ入力に応答して、表示制御処理２００を開始及び終了してもよいことが理解されるだろう。
【００１３】
ディスプレイコントローラ１５０が表示制御処理２００を実現すると、ディスプレイコントローラ１５０は、測定した環境光に基づいて１つ以上のディスプレイパラメータを調整することによりディスプレイ１４２を調整する。いくつかの実施形態において、ディスプレイコントローラ１５０は、測定した環境光に基づいて適切なディスプレイ調整を判定するために、メモリ１３０とインタフェースしてもよい。メモリ１３０は、１つ以上の可視性テーブルを含んでもよく、各可視性テーブルは、複数の環境光の値の各々に対するディスプレイ調整パラメータを含む。ディスプレイコントローラ１５０は、測定した環境光に基づいて、メモリ１３０に格納された１つ以上の可視性テーブルからディスプレイ調整値を検索し、検索したディスプレイ調整値に基づいてディスプレイを調整する。
【００１４】
いくつかの実施形態において、ディスプレイコントローラ１５０は、測定した環境光に基づいて適切なディスプレイ調整パラメータを判定する１つ以上のパラメータコントローラを含んでもよい。環境光が表示情報の可視性にどのような影響を与えるのかについて示すため、図３は、中程度の光の中での標準的な人の視力を示す。個人差又は適切な照明調整の違いがあっても、その妥当性は変わらない。一般に、より高い空間周波数は、画像及びテキストのより小さな細部に対応する。例えば、より高い空間周波数は、フォントにおいて最も近接する間隔で配置された線に対応する。従って、より小さなテキストフォントは、同一の種類の大きなテキストフォントより高い空間周波数を必要とする。図３に示すように、コントラストが低減する場合、より低い空間周波数のみが可視である。換言すると、コントラストが低減する場合、ディスプレイ上ではより大きなオブジェクトのみを明瞭に見ることができる。
【００１５】
コントラストは、以下のように定義されてもよい。
【００１６】
【数１】
2007535695.tif 000003
【００１７】
式中、Lavgはディスプレイ上の明暗パターンの平均明度を表し、ΔLはディスプレイの明暗領域に対する平均との明度差を表し、Lmaxはディスプレイの画面上の明るいテスト領域の明度を表し、Lminはディスプレイの画面上の暗いテスト領域の明度を表す。ディスプレイの内部のバックライトのために、薄暗い部屋のディスプレイの明るい領域がある尺度で３０のLmax値を有し、且つディスプレイの高精度な細部の最も暗い領域又はそれに近接する領域がLmin値１を有する場合、薄暗い環境光において結果として得られるコントラストは以下の通りである。
【００１８】
【数２】
2007535695.tif 000004
【００１９】
図３に示すように（外挿法を使用する）、このコントラスト％は、約３０サイクル／度（ｃｐｄ）の空間周波数に対応する。その結果、薄暗い環境光において、標準的な人は、約３０ｃｐｄの空間周波数でディスプレイ又はそれに同等のものにおいて細部を見ることができる。
【００２０】
ディスプレイが明るい領域に配置し直される場合、最適な設計であっても、多くの場合に不可避である眩しさが原因となり、ディスプレイの全ての部分からの環境光の散乱が多く発生する。通常、ディスプレイにより放射される環境光と比較して２倍の環境光が、暗い領域及び明るい領域の双方から散乱する。従って、上述で提供された例において、この散乱により、Lmax及びLminの双方は６０だけ増加する。その結果、明るい環境光におけるコントラスト％は、以下のようになる。
【００２１】
【数３】
2007535695.tif 000005
【００２２】
図３に示すように、このコントラスト％は、約２０ｃｐｄの空間周波数に対応する。従って、薄暗い環境光において可視であった同一のテキストを明るい環境光において見るために、例えば、ディスプレイコントローラはフォントサイズを５０％増加してもよい。
【００２３】
バックライトを使用しないディスプレイでは、明るい光に対する眼の非線形応答のため、最高の光レベルでのコントラストの機能が低下する。低い光レベルでの眼の非線形応答のために光が再び低いレベルになると、環境光を使用するディスプレイは、見かけのコントラストが低下する。いずれの場合も、ディスプレイコントローラは、表示情報のサイズ、表示コントラスト等の１つ以上のディスプレイパラメータを調整し、表示情報の可視性を向上してもよい。
【００２４】
一実施形態において、ディスプレイコントローラ１５０は、図４Ａに示されるサイズコントローラ１５２を含んでもよい。サイズコントローラ１５２は、測定した環境光に応答して表示情報のサイズを調整することにより、画像の細部の空間周波数を調整する。測定した環境光が増加するのに伴い、表示コントラストは減少する。これに応答して、サイズコントローラ１５２は、表示情報の細部の空間周波数を低減するために表示情報のサイズを増加し、その結果、表示情報の可視性を向上してもよい。同様に、環境における光が減少するのに伴い、サイズコントローラ１５２は、表示情報の空間周波数を増加するために表示情報のサイズを減少する。その結果、所望の可視性を維持し、それと同時に情報を表示するディスプレイ１４２上の有効な空間の量を増加する。バックライトが使用されない場合、光のレベルが低いか又は非常に明るい時に利用可能であれば、コントローラは、画像の細部をより大きいサイズ又はより高いコントラストに調整してもよい。
【００２５】
表示情報のサイズは、当該技術において周知の任意の手段に従って調整されてもよい。例えば、図４Ａのディスプレイコントローラ１５０の場合、メモリ１３０に格納された可視性テーブルは、サイズ調整テーブルであってもよく、複数の環境光の値の各々に対するサイズ調整パラメータを含む。サイズコントローラ１５２は、測定した環境光に基づいて、メモリ１３０に格納されたサイズ調整テーブルから対応するサイズ調整パラメータを検索する。サイズコントローラ１５２は、検索したサイズ調整パラメータを使用してディスプレイ１４２上に表示される情報のサイズを調整し、現在の光の状態において表示情報の可視性を向上する。
【００２６】
図４Ｂに示される別の実施形態において、ディスプレイコントローラ１５０はバックライトコントローラ１５４を含んでもよい。バックライトコントローラ１５４は、測定した環境光に基づいてディスプレイ１４２のバックライトの輝度を制御する。より明るい環境光は、バックライト付きディスプレイ１４２上に表示される情報を色あせて見せる傾向があるため、バックライトコントローラ１５４は、環境光が増加するのに伴いバックライトの輝度を減少することにより表示情報の可視性を向上してもよい。図５は、バックライトの輝度と環境光との関係の一例を示す。ディスプレイコントローラは、環境光の状態に基づいてバックライトの輝度を調整することにより、表示情報の可視性を向上するだけでなく、適切な可視性に必要なバックライトの輝度を提供するだけで、バックライトの効率及び携帯電子装置１００の電力消費を改善する。
【００２７】
ディスプレイ１４２のバックライトの輝度は、当該技術において周知の任意の手段に従って調整されてもよい。例えば、液晶ディスプレイ（ＬＣＤ）等の従来のディスプレイ１４２のバックライトの輝度を調整するために、バックライトコントローラ１５４は、ディスプレイ１４２に対する供給電圧のパルス幅変調（ＰＷＭ）デューティサイクルを調整する。図４Ｂの実施形態の場合、メモリ１３０に格納された可視性テーブルは、バックライト調整テーブルであってもよく、複数の環境光の値の各々に対するＰＷＭデューティサイクルを含む。バックライトコントローラ１５４は、測定した環境光に基づいて、メモリ１３０に格納されたバックライト調整テーブルから対応するＰＷＭデューティサイクルを検索し、検索されたＰＷＭデューティサイクルを使用してディスプレイ１４２のバックライトの輝度を調整し、現在の光の状態において表示情報の可視性を向上する。
【００２８】
図４Ｃに示される更に別の実施形態において、ディスプレイコントローラ１５０はコントラストコントローラ１５６を含む。コントラストコントローラ１５６は、測定した環境光に基づいてディスプレイ１４２の表示コントラストを制御する。より明るい環境光は、バックライト付きディスプレイ１４２上に表示される情報を色あせて見せる傾向があるため、コントラストコントローラ１５６は、環境光が増加するのに伴い表示コントラストを増加することにより表示情報の可視性を向上してもよい。
【００２９】
コントラストコントローラ１５６は、当該技術において周知の任意の手段に従って表示コントラストを調整してもよい。一実施形態において、コントラストコントローラ１５６は、フォントの種類及び／又はフォントと背景との色を調整することにより表示コントラストを調整してもよい。例えば、測定した環境光によっては、コントラストコントローラ１５６は、より適切な表示コントラストを提供するために、フォントの色を黒に変更し且つ背景の色を白に変更してもよい。
【００３０】
あるいは、ＬＣＤ等の従来のディスプレイ１４２の表示コントラストを調整するために、ディスプレイバイアス電圧が調整されてもよい。図６Ａは、コントラストバイアスと環境光との関係の一例を示す。上述の実施形態と同様に、図４Ｃの実施形態におけるメモリ１３０はコントラスト調整テーブルを格納してもよく、コントラスト調整テーブルは複数の環境光の値の各々に対するバイアス電圧を含む。コントラストコントローラ１５６は、測定した環境に基づいて、メモリ１３０に格納されたコントラスト調整テーブルから対応するバイアス電圧を検索する。コントラストコントローラ１５６は、検索したバイアス電圧を使用してディスプレイ１４２の表示コントラストを調整し、現在の光の状態において表示情報の可視性を向上する。
【００３１】
図６Ｂに示すように、従来のディスプレイ１４０のバイアス電圧は、温度変化に依存する場合が多い。従って、表示コントラストを調整するのに使用されるバイアス電圧調整の精度を向上するために、本発明のいくつかの実施形態において、コントラストコントローラ１５６はバイアス電圧を温度補償してもよい。温度補償を実現するために、コントラストコントローラ１５６は、測定した環境光及びディスプレイ１４２の温度に基づいてバイアス電圧を調整してもよい。例えば、メモリ１３０は、複数の環境光の値及びディスプレイ温度に対するバイアス電圧を相互に参照する２次元のコントラスト調整テーブルを格納してもよい。一実施形態において、表１に示すように、２次元のコントラスト調整テーブルの一方の指標は温度指標であってもよく、他方の指標は環境光指標であってもよい。
【００３２】
【表１】
2007535695.tif 000006
【００３３】
２つの指標の交差部分の値は、現在の環境光及びディスプレイ温度に対する最適なバイアス電圧を表す。
【００３４】
コントラストコントローラ１５６に対するディスプレイ温度を判定するために、携帯電子装置１００は、図１に示される温度検出電子回路１７０を含んでもよい。温度検出電子回路１７０は、温度センサ１７２及びオプションの温度プロセッサ１７４を含む。一実施形態において、温度センサは、携帯電子装置１００付近の周囲温度を測定する。その後、温度プロセッサ１７４は、測定した周囲温度と携帯電子装置１００の電子回路の温度特性の知識とに基づいてディスプレイ温度を計算する。更に、温度プロセッサ１７４は、所定の期間の平均ディスプレイ温度を計算し、ディスプレイ温度を平均ディスプレイ温度として規定してもよい。
【００３５】
図１は温度センサ１７２及び温度プロセッサ１７４の双方を含む温度検出電子回路を示すが、温度センサ１７２がディスプレイ１４２の温度を直接測定する場合など、温度センサ１７２により提供される温度に対して更なる処理が必要とされない場合、温度プロセッサ１７４は省略されてもよいことが当業者には理解されるだろう。更に、温度センサ１７２及び温度プロセッサ１７４は個別の電子装置として示されるが、温度検出電子回路１７０の温度センサ１７２及び温度プロセッサ１７４は、単一の電子装置に組み合わされてもよいことが理解されるだろう。
【００３６】
図４Ａ〜図４Ｃは、サイズコントローラ１５２、バックライトコントローラ１５４又はコントラストコントローラ１５６のみを有するディスプレイコントローラ１５０を示すが、本発明はそれらに限定されないことが理解されるだろう。実際には、ディスプレイコントローラ１５０は、サイズコントローラ１５２、バックライトコントローラ１５４及び／又はコントラストコントローラ１５６のうちの２つ以上を含んでもよい。例えば図４Ｄに示すように、ディスプレイコントローラ１５０は、サイズコントローラ１５２、バックライトコントローラ１５４及びコントラストコントローラ１５６を含んでもよい。本実施形態において、測定した環境光に基づいて、サイズコントローラ１５２は表示情報のサイズを調整し、バックライトコントローラ１５４はバックライトの輝度を調整し、且つコントラストコントローラ１５６は表示情報の全体の可視性を向上するために表示コントラストを調整する。上述したコントラストコントローラと同様に、バイアス電圧調整は、温度検出電子回路１７０により提供される温度Ｔに基づいて温度補償されてもよい。それらのコントローラ１５２、１５４、１５６は、別々に動作してもよいことが理解されるだろう。あるいは、それらのコントローラ１５２、１５４、１５６のうちの１つ以上が、各コントローラにより提供されるディスプレイ調整パラメータを最適化するために対話してもよい。
【００３７】
図７は、図４Ｄのディスプレイコントローラ１５０を使用する携帯電子装置１００に対する表示制御方法２０２を示す。方法の開始後（ブロック２１０）、携帯電子装置１００の光検出電子回路１１０は、携帯電子装置１００付近のディスプレイ１４２に関連する環境光LAを測定する（ブロック２１５）。携帯電子装置１００は、測定した環境光に基づいてディスプレイ１４２を調整し（ブロック２２０）、表示情報の可視性を向上する。ディスプレイを調整するために、表示情報のサイズ、バックライトの輝度及び／又は表示コントラストが調整されてもよい。表示情報のサイズが調整される場合（ブロック２２２）、サイズコントローラ１５２は、測定した環境光に基づいてサイズを調整する（ブロック２２４）。ディスプレイ１４２のバックライトの輝度が調整される場合（ブロック２２６）、バックライトコントローラ１５４は、測定した環境光に基づいてバックライトの輝度を調整する（ブロック２２８）。表示コントラストが調整される場合（ブロック２３０）、コントラストコントローラ１５６は、測定した環境光に基づいて表示コントラストを調整する（ブロック２３４）。温度補償を含む携帯電子装置１００の場合、温度検出電子回路１７０はディスプレイ温度を判定し（ブロック２３２）、コントラストコントローラ１５６は測定した環境光及びディスプレイ温度に基づいて表示コントラストを調整する（ブロック２３４）。携帯電子装置１００が処理を終了するまで（ブロック２４５）、携帯電子装置１００は、環境光を測定するステップ（ブロック２１５）及び環境光に基づいてディスプレイを調整するステップ（ブロック２２０）を繰り返す（ブロック２４０）。方法２０２は、図２に示される一連のディスプレイ調整ステップに限定されないことが当業者には理解されるだろう。図４Ｄのディスプレイコントローラ１５０は、任意の所望の順番でディスプレイ調整ステップを実現してもよい。
【００３８】
図示しないが、他の表示制御方法が図４Ｄのディスプレイコントローラ１５０により実現されてもよいことは理解されるだろう。例えば、サイズコントローラ１５２がサイズ調整を判定した後、バックライトコントローラ１５４は、測定した環境光及びサイズコントローラ１５２により判定されたサイズ調整に基づいて適切なバックライトの輝度調整を判定してもよい。換言すると、各ディスプレイコントローラは、所定の光の状態に対する最適なディスプレイ調整パラメータを判定するために対話してもよい。
【００３９】
上記例では特定の実施形態について説明したが、本発明は、それらの例に限定されないことが当業者には理解されるだろう。従って、図１の携帯電子装置１００は、携帯電話、ラップトップコンピュータ、ＭＰ３プレーヤ、ＣＤプレーヤ、デジタルカメラ、計算機、パーソナルデータアシスタント、ポータブルゲームシステム、ＤＶＤプレーヤ、パームトップコンピュータ及びパーソナル通信サービス（ＰＣＳ）装置等を含む当該技術において周知の任意の携帯電子装置でもよい。更に、光検出電子回路１１０は、携帯電話及び他の携帯電子装置と現在一体化されているカメラを含む任意の周知の光検出電子回路でもよい。
【００４０】
図８は、本発明を実現する携帯電話１００ａを示す。携帯電話１００ａは、図１に示して上述した電気構成要素に加え、メモリ１３０に格納され且つマイクロプロセッサ１２０により制御される命令に従って無線通信信号を送受信する為の、トランシーバ１３４に結合されるアンテナ１３２を含む。トランシーバ１３４は、移動通信用グローバルシステム（ＧＳＭ）、TIA/EIA-136、cdmaOne、cdma2000、ＵＭＴＳ及び広帯域ＣＤＭＡとして一般に知られる規格を含む任意の周知の規格に従って動作する全機能搭載型の携帯無線トランシーバである。
【００４１】
携帯電話１００ａは、当該技術において周知であるように、ユーザインタフェース１４０においてマイクロフォン１４６及びスピーカ１４８を更に含む。マイクロフォン１４６及びスピーカ１４８は、音声処理回路１２４とインタフェースする。マイクロフォン１４６は、ユーザの音声を電気音声信号に変換する。音声処理回路１２４は、マイクロフォン１４６からアナログ音声入力を受け取り、それら信号を処理し、且つそれら処理信号を入出力回路１２２を介してトランシーバ１３４に提供する。トランシーバ１３４により受信された音声信号は、音声処理回路１２４により処理される。音声処理回路１２４により生成されたアナログ出力信号は、スピーカ１４８に提供される。その後、スピーカ１４８は、アナログ音声信号をユーザが聞くことができる可聴信号に変換する。
【００４２】
携帯電話１００ａは、図１に示される基本光検出電子回路１１０を含んでもよいが、図８に示されるように、基本光検出電子回路１１０をカメラアセンブリ１１０ａと置き換えてもよい。カメラアセンブリ１１０ａは、カメラレンズ１１６、画像／光センサ１１２ａ及び画像／光プロセッサ１１４ａを含む。カメラレンズ１１６は、単一のレンズ又は複数のレンズから構成される。カメラレンズ１１６は、マイクロプロセッサ１２０からの制御信号に応答して、光を収集し且つ画像／光センサ１１２ａに集束させる。画像／光プロセッサ１１４ａは、画像／光センサ１１２ａにより捕捉された生データを処理する。上述の光センサ１１２と同様に、画像／光センサ１１２ａは、電荷結合素子（ＣＣＤ）又は相補型金属酸化膜半導体（ＣＭＯＳ）画像センサ等の任意の従来のセンサでもよい。本発明によると、カメラアセンブリ１１０ａは、測定した環境光を入出力回路１２２を介してディスプレイコントロール１５０に提供する。更に、カメラアセンブリ１１０ａは、後続するメモリ１３０への格納、ディスプレイ１４２への出力及び／又はトランシーバ１３４による送信のために画像を捕捉してもよい。
【００４３】
上述において、情報のサイズ、バックライトの輝度及び表示コントラスト制御に関して表示制御を説明したが、本発明がそれらに限定されないことは当業者には理解されるだろう。例えば、特に情報がカラーで表示される場合に表示情報の可視性を更に増加するために、ディスプレイコントローラ１５０は、図９に示すように、ガンマコントローラ１６０、白色点コントローラ１６２及び／又は黒色点コントローラ１６４のうち少なくとも１つを含んでもよい。それらのコントローラのうちの１つ以上が表示情報の可視性を向上するために使用されてもよく、また、異なる光の状態に対して処理及び格納される色データの量を最小限にすることにより携帯電子装置１００の効率を向上する。例えば白色点及び／黒色点の設定値は、測定した環境光に基づいて、表示される色の数を制限するように設定されてもよい。環境光が増加するのに伴い、例えば、白色点コントローラ１６２が白色点の設定値を増加し且つ／又は黒色点コントローラ１６４が黒色点の設定値を減少して、表示される色の数を低減してもよい。その結果、表示情報の可視性は向上する。更に、表示情報を生成するのに必要とされる処理及びデータ格納は、所望の画質を生成するのに必要なものに制限される。同様の原理がガンマコントローラ１６０に当てはまる。ガンマコントローラ１６０は、表示情報の均一な輝度を規定するガンマポイント設定値を生成する。環境光が増加するのに伴い、ガンマコントローラ１６０は、表示画像の可視性を向上するためにガンマポイント設定値を減少する。
【００４４】
図４Ａ〜図４Ｄ及び図９は特定のディスプレイコントローラ１５０を示すが、ディスプレイコントローラ１５０は、上述のサイズコントローラ１５２、バックライトコントローラ１５４、コントラストコントローラ１５６、ガンマコントローラ１６０、白色点コントローラ１６２及び／又は黒色点コントローラ１６４のうちの１つ以上の任意の組合せを含んでもよいことが理解されるだろう。更に、ディスプレイコントローラ１５０は、ディスプレイ１４２の可視性に影響を与える任意の他の周知のディスプレイパラメータコントローラを含んでもよい。
【００４５】
また、図１は単一のディスプレイを示すが、複数のディスプレイが単一の携帯電子装置１００に実装されてもよく、且つ／又は単一の携帯電子装置１００により使用されてもよいことは、当業者には理解されるだろう。例えば、クラムシェルハウジングを有する携帯電話は、クラムシェルの内側に第１のディスプレイを有し、クラムシェルの外側に第２のディスプレイを有してもよい。あるいは、ラップトップコンピュータは、ラップトップハウジングに配置された携帯ディスプレイ及び／又は例えばデスクトップ上の固定ディスプレイと選択的にインタフェースしてもよい。いずれの場合も、各ディスプレイは、同一の種類のディスプレイであってもよく、又は異なる種類のディスプレイであってもよい。異なる種類のディスプレイである場合、ディスプレイコントローラ１５０は、一方のディスプレイ１４２に対するディスプレイパラメータ設定値を判定し、その設定値を他方の第２のディスプレイ１４２に適切な形式に更に変換する。そのような変換技術は従来技術において周知であるため、ここでは更なる説明は行なわない。しかし、一例として、２つの異なるディスプレイを含む本発明の一実施形態は、ＮＩＴＦＳ（National Imagery Transmission Format Standard）に基づく画像交換基本形式（ＢＩＩＦ）等の画像交換規格（ＩＩＳ）を使用して、一方のディスプレイ１４２に対するディスプレイパラメータ設定値を他方のディスプレイ１４２に対する適切なディスプレイパラメータ設定値に変換してもよい。
【００４６】
当然、本発明は、本発明の本質的な特徴から逸脱せずに、本明細書で特に説明した方法以外の方法で実行されてもよい。本発明の実施形態は、全ての点において例として考えられ、限定するものではない。また、添付の請求の範囲の趣旨及び同等の範囲内における全ての変更は、本発明に含まれることが意図される。
【図面の簡単な説明】
【００４７】
【図１】図１は、本発明の携帯電子装置の一例を示すブロック図である。
【図２】図２は、本発明の表示制御方法の一例を示すフローチャートである。
【図３】図３は、コントラスト対空間周波数を示すグラフである。
【図４Ａ】図４Ａは、本発明のディスプレイコントローラの例を示す図である。
【図４Ｂ】図４Ｂは、本発明のディスプレイコントローラの例を示す図である。
【図４Ｃ】図４Ｃは、本発明のディスプレイコントローラの例を示す図である。
【図４Ｄ】図４Ｄは、本発明のディスプレイコントローラの例を示す図である。
【図５】図５は、バックライトの輝度対環境光を示すグラフである。
【図６Ａ】図６Ａは、コントラストバイアス電圧対環境光を示すグラフである。
【図６Ｂ】図６Ｂは、コントラストバイアス電圧に対する温度の影響を示すグラフである。
【図７】図７は、本発明の表示制御方法の別の例を示すフローチャートである。
【図８】図８は、本発明の別の携帯電子装置の一例を示すブロック図である。
【図９】図９は、本発明のディスプレイコントローラの別の例を示す図である。
【図１】
2007535695.tif 000007
【図２】
2007535695.tif 000008
【図３】
2007535695.tif 000009
【図４Ａ】
2007535695.tif 000010
【図４Ｂ】
2007535695.tif 000011
【図４Ｃ】
2007535695.tif 000012
【図４Ｄ】
2007535695.tif 000013
【図５】
2007535695.tif 000014
【図６Ａ】
2007535695.tif 000015
【図６Ｂ】
2007535695.tif 000016
【図７】
2007535695.tif 000017
【図８】
2007535695.tif 000018
【図９】
2007535695.tif 000019
【手続補正書】
【提出日】平成18年1月23日(2006.1.23)
【手続補正１】
【補正対象書類名】特許請求の範囲
【補正対象項目名】全文
【補正方法】変更
【補正の内容】
【特許請求の範囲】
【請求項１】
携帯電子装置（１００）に関連付けられたディスプレイ（１４２）上の情報の可視性を向上する方法であって、
前記携帯電子装置（１００）に配置されているカメラアセンブリ（１１０ａ）を使用して環境光を測定し、
前記測定した環境光に基づいて、前記ディスプレイ（１４２）の１以上の制御パラメータを調整することで、前記表示情報の可視性を向上させる
ことを特徴とする方法。
【請求項２】
カメラアセンブリ（１１０ａ）を使用して前記環境光を測定することは、
光センサ（１１２）を使用して環境光を検出することと、
前記検出した環境光を前記測定した環境光として規定することとを含む
ことを特徴とする請求項１に記載の方法。
【請求項３】
所定の期間にわたり前記検出した環境光を平均することを更に含み、
前記検出した環境光を前記測定した環境光として規定することは、前記検出した環境光の前記平均を前記測定した環境光として規定することを含む
ことを特徴とする請求項２に記載の方法。
【請求項４】
前記ディスプレイ（１４２）の１以上の制御パラメータを調整することは、前記測定した環境光に基づいて、表示情報のサイズ、前記ディスプレイ（１４２）のバックライトの輝度、及び表示コントラストのうち少なくとも１つを調整することを含むことを特徴とする請求項１に記載の方法。
【請求項５】
前記測定した環境光に基づいて前記表示情報の前記サイズを調整することは、前記測定した環境光の増減に伴い前記表示情報の前記サイズを増減することを含むことを特徴とする請求項４に記載の方法。
【請求項６】
前記測定した環境光に基づいて前記ディスプレイ（１４２）の前記バックライトの輝度を調整することは、前記測定した環境光に基づいて前記ディスプレイ（１４２）のパルス幅変調デューティサイクルを調整することを含むことを特徴とする請求項４に記載の方法。
【請求項７】
前記測定した環境光に基づいて前記ディスプレイ（１４２）の前記バックライトの輝度を調整することは、前記測定した環境光の増減に伴い前記バックライトの輝度を増減することを含むことを特徴とする請求項４に記載の方法。
【請求項８】
前記測定した環境光に基づいて前記表示コントラストを調整することは、フォントの種類、フォントの色、及び背景色のうち少なくとも１つを調整することを含むことを特徴とする請求項４に記載の方法。
【請求項９】
前記測定した環境光に基づいて前記表示コントラストを調整することは、前記測定した環境光に基づいて前記ディスプレイ（１４２）のバイアス電圧を調整することを含むことを特徴とする請求項４に記載の方法。
【請求項１０】
ディスプレイ温度を判定することと、前記測定した環境光及び前記ディスプレイ温度に基づいて前記携帯電子装置（１００）の前記ディスプレイ（１４２）の前記バイアス電圧を調整することとを更に含むことを特徴とする請求項９に記載の方法。
【請求項１１】
前記ディスプレイ温度を判定することは、前記ディスプレイ（１４２）の温度を測定することを含むことを特徴とする請求項１０に記載の方法。
【請求項１２】
前記ディスプレイ温度を判定することは、周囲温度を測定することと、前記測定した周囲温度に基づいて前記ディスプレイ温度を判定することとを含むことを特徴とする請求項１０に記載の方法。
【請求項１３】
前記ディスプレイ（１４２）の１以上の制御パラメータを調整することは、前記測定した環境光に基づいて、前記表示情報のサイズ、前記ディスプレイ（１４２）のバックライトの輝度、及び表示コントラストのうち少なくとも２つを調整することを含むことを特徴とする請求項１に記載の方法。
【請求項１４】
ディスプレイ調整値のテーブルを生成することを更に含み、各ディスプレイ調整値は異なる環境光の値に対応することを特徴とする請求項１に記載の方法。
【請求項１５】
前記測定した環境光に基づいて前記ディスプレイ（１４２）の１以上の制御パラメータを調整することは、
前記測定した環境光に対応するディスプレイ調整値の前記テーブルから前記ディスプレイ調整値を選択することと、
前記選択したディスプレイ調整値に基づいて前記ディスプレイ（１４２）の前記１以上の制御パラメータを調整することとを含む
ことを特徴とする請求項１４に記載の方法。
【請求項１６】
各ディスプレイ調整値は、異なる環境光の値に対する表示情報のサイズ、表示コントラスト、又は前記携帯電子装置（１００）の前記ディスプレイ（１４２）のバックライトの輝度に対応することを特徴とする請求項１４に記載の方法。
【請求項１７】
前記測定した環境光に基づいて前記ディスプレイ（１４２）の１以上の制御パラメータを調整することは、前記測定した環境光に基づいて前記表示情報の前記サイズ、前記表示コントラスト、及び前記ディスプレイ（１４２）の前記バックライトの輝度のうち少なくとも１つに対するディスプレイ調整値を、ディスプレイ調整値の前記テーブルから選択することと、前記選択したディスプレイ調整値に基づいて前記表示情報の前記サイズ、前記表示コントラスト、及び前記バックライトの輝度のうち少なくとも１つを調整することとを含むことを特徴とする請求項１６に記載の方法。
【請求項１８】
前記測定した環境光に基づいて前記ディスプレイ（１４２）の１以上の制御パラメータを調整することは、前記測定した環境光に基づいて前記携帯電子装置（１００）の前記ディスプレイ（１４２）の前記１以上の制御パラメータを自動的に調整することを含むことを特徴とする請求項１に記載の方法。
【請求項１９】
前記測定した環境光に基づいて前記ディスプレイ（１４２）の１以上の制御パラメータを調整することは、ユーザ入力を受信することと、前記ユーザ入力に応答して、前記測定した環境光に基づいて前記ディスプレイ（１４２）の前記１以上の制御パラメータを調整することとを含むことを特徴とする請求項１に記載の方法。
【請求項２０】
前記測定した環境光に基づいて前記携帯電子装置（１００）の前記ディスプレイ（１４２）のガンマ設定値、白色点の設定値、及び黒色点の設定値のうち少なくとも１つを調整することを更に含むことを特徴とする請求項１に記載の方法。
【請求項２１】
前記携帯電子装置（１００）の第１のディスプレイ（１４２）に対する前記測定した環境光に基づいて生成されたディスプレイ調整パラメータを、前記携帯電子装置（１００）の第２のディスプレイ（１４２）に対するディスプレイ調整パラメータに変換するために変換規格を使用することにより、前記携帯電子装置（１００）の前記第２のディスプレイ（１４２）を調整することを更に含むことを特徴とする請求項１に記載の方法。
【請求項２２】
前記携帯電子装置（１００）の前記ディスプレイ（１４２）は、液晶ディスプレイ、薄膜トランジスタディスプレイ、薄膜ダイオードディスプレイ、有機発光ダイオードディスプレイ、及びＳＴＮ液晶ディスプレイのうち１つを含むことを特徴とする請求項１に記載の方法。
【請求項２３】
携帯電子装置に関連付けられたディスプレイ（１４２）を有する携帯電子装置（１００）であって、前記携帯電子装置は、
カメラアセンブリ（１１０ａ）と、
前記カメラアセンブリによって収集された環境光に基づいて前記ディスプレイ（１４２）の１以上の制御パラメータを調整することで、前記表示情報の可視性を向上させるように構成されたディスプレイコントローラ（１５０）と
を備えることを特徴とする携帯電子装置（１００）。
【請求項２４】
前記ディスプレイコントローラ（１５０）は、前記収集した環境光に基づいて表示情報のサイズを調整するサイズコントローラ（１５２）を有することを特徴とする請求項２３に記載の携帯電子装置（１００）。
【請求項２５】
前記ディスプレイコントローラ（１５０）は、前記収集した環境光に基づいて前記ディスプレイ（１４２）のバックライトの輝度を調整するバックライトコントローラ（１５４）を有することを特徴とする請求項２３に記載の携帯電子装置（１００）。
【請求項２６】
前記バックライトコントローラ（１５４）は、前記収集した環境光に基づいて前記ディスプレイ（１４２）の前記バックライトの輝度を制御するために、前記ディスプレイ（１４２）のパルス幅変調デューティサイクルを調整することを特徴とする請求項２５に記載の携帯電子装置（１００）。
【請求項２７】
前記ディスプレイコントローラ（１５０）は、前記収集した環境光に基づいて表示コントラストを調整するコントラストコントローラ（１５６）を有することを特徴とする請求項２３に記載の携帯電子装置（１００）。
【請求項２８】
前記コントラストコントローラ（１５６）は、前記収集した環境光に基づいてフォントの種類、フォントの色、及び背景色のうち少なくとも１つを調整することを特徴とする請求項２７に記載の携帯電子装置（１００）。
【請求項２９】
前記コントラストコントローラ（１５６）は、前記収集した環境光に基づいて前記表示コントラストを制御するために前記ディスプレイ（１４２）のバイアス電圧を調整することを特徴とする請求項２７に記載の携帯電子装置（１００）。
【請求項３０】
ディスプレイ温度を判定する温度センサ（１７２）を更に具備することを特徴とする請求項２７に記載の携帯電子装置（１００）。
【請求項３１】
前記コントラストコントローラ（１５６）は、前記収集した環境光、及び前記ディスプレイ温度に基づいて、前記ディスプレイ（１４２）の前記バイアス電圧を調整することを特徴とする請求項３０に記載の携帯電子装置（１００）。
【請求項３２】
前記温度センサ（１７２）は前記ディスプレイ温度を測定することを特徴とする請求項３０に記載の携帯電子装置（１００）。
【請求項３３】
前記温度センサ（１７２）により測定された周囲温度から前記ディスプレイ温度を判定する温度プロセッサ（１７４）を更に具備することを特徴とする請求項３０に記載の携帯電子装置（１００）。
【請求項３４】
ディスプレイ調整値のテーブルを少なくとも１つ格納するメモリ回路（１３０）を更に具備し、各ディスプレイ調整値は、異なる環境光の値に対応することを特徴とする請求項２３に記載の携帯電子装置（１００）。
【請求項３５】
前記ディスプレイコントローラ（１５０）は、前記収集した環境光に対応する前記ディスプレイ調整値をディスプレイ調整値の前記テーブルから選択し、前記選択したディスプレイ調整値に基づいて前記ディスプレイ（１４２）の前記１以上の制御パラメータを調整することを特徴とする請求項３４に記載の携帯電子装置（１００）。
【請求項３６】
前記メモリ回路（１３０）は、表示情報のサイズ、表示コントラスト、及び前記ディスプレイ（１４２）のバックライトの輝度のうち少なくとも１つの各々に対するディスプレイ調整値のテーブルを格納することを特徴とする請求項３４に記載の携帯電子装置（１００）。
【請求項３７】
前記収集した環境光に基づいて前記ディスプレイ（１４２）の前記１以上の制御パラメータを調整するために、前記ディスプレイコントローラ（１５０）に指示を送るユーザ入力装置（１４０）を更に具備することを特徴とする請求項２３に記載の携帯電子装置（１００）。
【請求項３８】
前記ユーザ入力装置（１４０）は、前記携帯電子装置（１００）のハウジングに配置される制御ボタン（１４４）を有することを特徴とする請求項３７に記載の携帯電子装置（１００）。
【請求項３９】
前記ユーザ入力装置（１４０）は、可聴ディスプレイコマンドを前記ユーザから受信するマイクロフォン（１４６）を有することを特徴とする請求項３７に記載の携帯電子装置（１００）。
【請求項４０】
前記ディスプレイコントローラ（１５０）は、前記収集した環境光に基づいて前記ディスプレイ（１４２）の前記１以上の制御パラメータを自動的に調整することを特徴とする請求項２３に記載の携帯電子装置（１００）。
【請求項４１】
前記カメラアセンブリ（１１０ａ）は、環境光を検出する光センサ（１１２ａ）を有することを特徴とする請求項２３に記載の携帯電子装置（１００）。
【請求項４２】
前記カメラアセンブリ（１１０ａ）は、前記検出した環境光を処理し、且つ前記処理した環境光から前記収集した環境光を判定する光プロセッサ（１１４ａ）を更に有することを特徴とする請求項４１に記載の携帯電子装置（１００）。
【請求項４３】
前記携帯電子装置（１００）は、ラップトップコンピュータ、計算機、パーソナルデータアシスタント、ポータブルゲームシステム、及び携帯音楽プレーヤのうち１つを含むことを特徴とする請求項２３に記載の携帯電子装置（１００）。
【請求項４４】
前記携帯電子装置（１００）は、無線通信信号を送受信するトランシーバを有する携帯電話を有することを特徴とする請求項２３に記載の携帯電子装置（１００）。
【請求項４５】
前記ディスプレイ（１４２）は、液晶ディスプレイ、薄膜トランジスタディスプレイ、薄膜ダイオードディスプレイ、有機発光ダイオードディスプレイ、及びＳＴＮ液晶ディスプレイのうち１つを含むことを特徴とする請求項２３に記載の携帯電子装置（１００）。
【請求項４６】
前記携帯電子装置（１００）上に第２のディスプレイ（１４２）を更に具備し、
前記ディスプレイコントローラ（１５０）は、前記携帯電子装置（１００）の第１のディスプレイ（１４２）に対する測定した環境光に基づいて生成されたディスプレイ調整パラメータを、前記携帯電子装置（１００）の前記第２のディスプレイ（１４２）に対するディスプレイ調整パラメータに変換するために変換規格を使用することにより前記第２のディスプレイ（１４２）を調整することを特徴とする請求項２３に記載の携帯電子装置（１００）。
【国際調査報告】
2007535695.tif 000020
2007535695.tif 000021
2007535695.tif 000022